(57)【要約】    【課題】      ダウンロードされたコンテンツを迅速に再生することで、時間を効率的に使うこと。    【解決手段】  コンテンツ受信部１０１は、コンテンツをサーバより受信する。アラーム設定部１０２は、アラーム時刻とアラームとして再生するコンテンツを設定する。アラーム制御部１０３は、現在時刻と、アラーム設定部１０２で設定された時刻を比較し、現在時刻がアラーム時刻に達した場合、アラーム設定部１０２で設定されたコンテンツを再生することを決定する。コンテンツ保存部１０５は、コンテンツ受信部１０１で受信した一又は複数のコンテンツを保存する。コンテンツ再生部１０６は、アラーム制御部１０３からの指示があったときに、指定されたコンテンツをコンテンツ保存部１０５から読み出し、再生する。  【選択図】      図１
2006165855.tif 000002
【特許請求の範囲】
【請求項１】
サーバよりコンテンツを受信するコンテンツ受信手段と、
アラーム時刻の設定とコンテンツの設定を行うアラーム設定手段と、
前記アラーム設定手段にて設定されたアラーム時刻に前記アラーム設定手段にて設定されたコンテンツによってアラームを再生することを指示するアラーム制御手段と、
前記アラーム制御手段の指示に基づいてコンテンツを再生するコンテンツ再生手段と、
を具備することを特徴とする携帯電話。
【請求項２】
前記アラーム設定手段は、アラーム時刻及びコンテンツの設定後に前記コンテンツ受信手段がコンテンツを受信した場合、設定したコンテンツを受信したコンテンツに更新することを特徴とする請求項１に記載の携帯電話。
【請求項３】
サーバよりコンテンツを受信するコンテンツ受信ステップと、
アラーム時刻の設定とコンテンツの設定を行うアラーム設定ステップと、
前記アラーム設定ステップにて設定されたアラーム時刻に前記アラーム設定ステップにて設定されたコンテンツによってアラームを再生することを指示するアラーム制御ステップと、
前記アラーム制御ステップの指示に基づいてコンテンツを再生するコンテンツ再生ステップと、
を具備することを特徴とするコンテンツ再生方法。
【請求項４】
前記アラーム設定ステップは、アラーム時刻及びコンテンツの設定後に前記コンテンツ受信ステップでコンテンツを受信した場合、設定したコンテンツを受信したコンテンツに更新することを特徴とする請求項３に記載のコンテンツ再生方法。
【発明の詳細な説明】
【技術分野】
【０００１】
本発明は、目覚まし機能を有する携帯電話及びコンテンツ再生方法に関し、特に、事前にダウンロードされたコンテンツを所定の時刻に迅速に再生する携帯電話及びコンテンツ再生方法に関する。
【背景技術】
【０００２】
従来、携帯電話は、予め一以上の目覚まし時刻をユーザにより設定し、この目覚まし時刻と携帯電話に内蔵されている時計の時刻とが一致したときに予め設定した電子音を発生させることにより、目覚まし機能を実行している。
【０００３】
ここで、近年のデジタル音響処理技術の向上に伴い、電子音の代わりにデジタル化された音楽データを用いることに起因して、昨今ではユーザの好みの音楽（例えば、クラシックの名曲等）を起床時に再生することができるようになっている。
【０００４】
そして、このデジタル化された音楽データは、目覚まし音、着信音として用いるのみならず、携帯電話で音楽を鑑賞するためにも用いられる。このような携帯電話における音楽データの利用が普及するにつれ、ジャンルを問わず様々な音楽データを、権利保持者からユーザに無料又は有料で配信（通信又は放送によってコンテンツを伝送）することが盛んに行われている。
【０００５】
現在では、デジタル化された音楽データの配信のみならず、携帯電話システムの伝送速度の向上やコストの低下により、マルチメディアデータ（映像のみ又は映像と音楽の両方が含まれるデジタルデータ）を配信することも行われるようになっている。
【０００６】
上述した目覚まし機能の応用例として、インターネットを介して起床するときの天気情報サービスを受ける携帯電話が特許文献１に開示されている。特許文献１には、天気情報に対応して、目覚まし時刻に目覚まし機能が働く携帯電話の目覚ましシステムが開示されている。
【特許文献１】特開２００３−７８６４２号公報
【発明の開示】
【発明が解決しようとする課題】
【０００７】
しかしながら、特許文献１に開示された携帯電話では、目覚まし機能を有するプログラムのダウンロード、ダウンロードしたプログラムの実行、天気情報を知りたい地域の指定、アラーム時刻の設定等、ユーザに要求する操作が多く、煩雑である。従って、プログラム及びマルチメディアデータを含むコンテンツを迅速に再生することができないという問題がある。
【０００８】
本発明はかかる点に鑑みてなされたものであり、ダウンロードされたコンテンツを迅速に再生することで、時間を効率的に使えるようにするための携帯電話及びコンテンツ再生方法を提供することを目的とする。
【課題を解決するための手段】
【０００９】
本発明の携帯電話は、サーバよりコンテンツを受信するコンテンツ受信手段と、アラーム時刻の設定とコンテンツの設定を行うアラーム設定手段と、前記アラーム設定手段にて設定されたアラーム時刻に前記アラーム設定手段にて設定されたコンテンツによってアラームを再生することを指示するアラーム制御手段と、前記アラーム制御手段の指示に基づいてコンテンツを再生するコンテンツ再生手段と、を具備する構成を採る。
【発明の効果】
【００１０】
本発明によれば、自動的にダウンロードしたコンテンツをアラームとして再生するコンテンツに設定するので、ユーザの起床時に新規コンテンツを再生するまでの時間を短縮させることができ、言い換えれば起床時にダウンロードされたコンテンツを迅速に再生することができ、時間が効率的に使える。
【発明を実施するための最良の形態】
【００１１】
以下、本発明の実施の形態について、図面を参照して詳細に説明する。
【００１２】
（一実施の形態）
図１は、本発明の一実施の形態に係る携帯電話１００の構成を示すブロック図である。この図では、ネットワークからダウンロードされたコンテンツの再生と目覚まし（アラームと称する）機能にかかるブロックを示す。
【００１３】
図１において、コンテンツ受信部１０１は、無線で接続される外部のネットワークのサーバ、または、コンテンツを放送するサーバ（図示省略）からコンテンツを受信し、受信したコンテンツが後述するコンテンツ保存部１０５に保存されているか否かを検査する。検査の結果、受信したコンテンツがコンテンツ保存部１０５に保存されていなければ、受信したコンテンツを新規コンテンツとしてコンテンツ保存部１０５に保存すると共に、新規コンテンツを受信したことをアラーム設定部１０２に通知する。また、受信したコンテンツがコンテンツ保存部１０５に保存されていれば、受信したコンテンツを破棄する。
【００１４】
アラーム設定部１０２は、コンテンツ受信部１０１に接続され、アラーム時刻及びアラームとして再生するコンテンツを設定する。また、この設定後にコンテンツ受信部１０１が新規コンテンツを受信した場合、アラームとして再生するコンテンツの設定を更新する。設定された内容はアラーム制御部１０３に通知される。
【００１５】
アラーム制御部１０３は、アラーム設定部１０２に接続され、アラーム設定部１０２から通知されたアラーム時刻と後述する時刻管理部１０４から出力された現在時刻とを比較し、現在時刻がアラーム時刻になったときアラーム設定部１０２から通知された設定コンテンツの再生を決定し、コンテンツ再生部１０６にコンテンツの再生を指示する。
【００１６】
時刻管理部１０４は、現在時刻を管理し、管理している現在時刻をアラーム制御部１０３に出力する。
【００１７】
コンテンツ再生部１０６は、アラーム制御部１０３に接続され、アラーム制御部１０３による再生決定指示を受けて、コンテンツ保存部１０５に保存されたコンテンツを再生する。
【００１８】
また、コンテンツ保存部１０５は、コンテンツ受信部１０１に接続され、コンテンツ受信部１０１から出力された一つ又は複数のコンテンツを保存する。保存されたコンテンツはコンテンツ再生部１０６に出力される。
【００１９】
こうして、アラーム時刻になったとき、アラーム制御部１０３による指定コンテンツがコンテンツ保存部１０５から読み出され、コンテンツ再生部１０６により再生されることになり、コンテンツを迅速に再生することができる。
【００２０】
次に、上述した構成を有する携帯電話１００の動作について図２を用いて説明する。図２は、図１に示した携帯電話１００の動作を示すフロー図である。この図において、ステップ（以下、「ＳＴ」と省略する）２０１では、アラーム設定部１０２がアラーム時刻と再生用コンテンツの設定を行い、ＳＴ２０２では、コンテンツ受信部１０１がネットワークを通じてサーバから新規コンテンツを受信したかどうかを検査する。コンテンツ受信部１０１が新規コンテンツを受信した場合にはＳＴ２０３に移行し、新規コンテンツを受信していない場合にはＳＴ２０４に移行する。
【００２１】
ＳＴ２０３では、コンテンツ受信部１０１は受信した新規コンテンツをコンテンツ保存部１０５に保存し、アラーム設定部１０２が新規コンテンツを再生用コンテンツに設定する。
【００２２】
ＳＴ２０４では、アラーム制御部１０３が時刻管理部１０４から入力された現在時刻と、アラーム設定部１０２で設定された時刻とを比較し、現在時刻がアラーム時刻に達したか否かが判定される。現在時刻がアラーム時刻に達した（ＹＥＳ）と判定された場合にはＳＴ２０５に移行し、現在時刻がアラーム時刻に達していない（ＮＯ）と判定された場合にはＳＴ２０２に戻る。
【００２３】
ＳＴ２０５では、アラーム設定部１０２で設定されたコンテンツを再生するようにアラーム制御部１０３が決定しコンテンツ再生部１０６に指示し、コンテンツ再生部１０６が指定されたコンテンツをコンテンツ保存部１０５から読み出して再生する。
【００２４】
このように本実施の形態によれば、アラーム時刻及びアラームとして再生するコンテンツを設定した後に、新規コンテンツを受信した場合には、新規コンテンツをアラームとして再生するコンテンツに設定することになり、アラーム時刻で自動的に新規コンテンツを再生することができる。
【産業上の利用可能性】
【００２５】
本発明にかかる携帯電話及びコンテンツ再生方法は、コンテンツの有効な再生開始時を得ることにより使用者が時間を効率的に使うにつき好適である。
【図面の簡単な説明】
【００２６】
【図１】本発明の一実施の形態に係る携帯電話の構成を示すブロック図
【図２】本発明の一実施の形態に係る携帯電話の動作を示すフロー図
【符号の説明】
【００２７】
１００  携帯電話
１０１  コンテンツ受信部
１０２  アラーム設定部
１０３  アラーム制御部
１０４  時刻管理部
１０５  コンテンツ保存部
１０６  コンテンツ再生部
【図１】
2006165855.tif 000003
【図２】
2006165855.tif 000004